(57)【特許請求の範囲】
【請求項１】
寝室家具（１０）を、ベッド（２０）と天蓋（３０）とで構成し、該ベッド（２０）のヘッド側に設けられたヘッドボード（２２）と、該天蓋（３０）のヘッド側に設けられた天蓋垂壁（２９）とを、一体的にして、前記ベッド（２０）とヘッドボード（２２）と天蓋垂壁（２９）と天蓋（３０）とを、側面視略コ字状に形成し、空調装置（４９）を、室内機（６２）と送風ダクト（６３）と送風口（６６）と、送風口（６６）が開口している送風室（６７）と、該送風室（６７）と挿通され、内部に空調された気体が流入する空間である冷気溜（６５）とで構成し、前記天蓋（３０）を箱形状に構成し、前記天蓋（３０）の空間内に、該空調装置（４９）の送風口（６６）と送風室（６７）と冷気溜（６５）とを構成し、前記天蓋（３０）の冷気溜（６５）の下面には、就寝者の頭部上方に位置する空調装置（４９）の頭部吹出口（４７）と、就寝者の脚部上方に位置する前記空調装置（４９）の脚部吹出口（４８）とを設け、前記空調された気体の流入側である前記送風室（６７）に近い方の冷気溜（６５）に、該頭部吹出口（４７）を開口し、前記冷気溜（６５）の送風室（６７）から遠い方に該脚部吹出口（４８）を開口配置したことを特徴とする寝室家具。
【請求項２】
請求項１記載の前記寝室家具（１０）において、前記ベッド（２０）を構成するベッドフレーム（２１）の就寝者の脚部下方に位置する面状発熱体（５３）を設け、ベットスプリング（２３）を介して、就寝者の脚部を穏やかに加温可能とし、該ベットスプリング（２３）には、該面状発熱体（５３）の熱が伝達されやすいように、複数の通気口（２３ａ）を設けたことを特徴とする寝室家具。
【発明の詳細な説明】
【技術分野】
【０００１】
本発明は、睡眠の質の向上を目的とした睡眠環境形成のための技術に関する。
【背景技術】
【０００２】
生活リズムの乱れや、最近のストレスに満ちた社会を反映して、不眠に悩まされる人が増大する昨今では、「快眠」を求める声が高まっている。さらに、睡眠時間は人の生活時間の中で大きな割合を占め、快眠を得るために、単に眠るというだけでなく、寝具や、寝室の選定によって睡眠環境を整えようとする意識が高まっている。
【０００３】
睡眠環境は個別性が高い。すなわち、個々の人によって快適と感じる睡眠のための環境は異なることが一般的である。このような人によって異なる快適さにきめ細かく対応して睡眠の環境を整え、睡眠の質を向上させるために、図５に示す如く、寝室全体の環境（２次睡眠環境４１）と、就寝者の周りの環境（1.5 次睡眠環境４０）と、寝具と就寝者とで形成される環境（１次睡眠環境３９）とに分けて、これらの環境を制御するアプローチが有効である。この、1.5 次睡眠環境４０を個々に制御可能とすることにより、複数人のための寝室であっても、他の就寝者からの干渉を受けることなく個々が快適な睡眠環境を得ることができるのである。
【０００４】
上記1.5 次睡眠環境４０において、各就寝者に適した空調を提供するための技術が提案されている。例えば、特許文献１に記載の技術では、カプセルとして形成された睡眠室を就寝者の温熱生理的な快適に合った空調状態（「頭寒足熱」の状態）に制御するために、就寝者の頭部と腹部と脚部のそれぞれに別の送風する吹出口を設け、各吹出口に独立した給気経路を形成して、各吹出口より吹き出される気体の温度が異なるようにしている。
【０００５】
【特許文献１】特開２００２−３５７３５１号公報
【発明の開示】
【発明が解決しようとする課題】
【０００６】
しかし、上記のようなカプセル式の睡眠室は、住宅の寝室に配置するには大規模であったり、寝室全体の空間性やインテリア性を損ねたりする虞があり、一般の住宅には受け入れ難いという不具合がある。また、装置が高価なものとなってしまい、一般の住宅には採用することが難しい。そこで、本発明では、寝室全体の空間性やインテリア性を損なうことなく、各就寝者に対して睡眠環境を形成する空調を制御可能として、同一の寝室を使用する各就寝者に快適な睡眠空間を実現するための寝室家具を提案する。
【課題を解決するための手段】
【０００７】
本発明の解決しようとする課題は以上の如くであり、次にこの課題を解決するための手段を説明する。
【０００８】
請求項１においては、寝室家具（１０）を、ベッド（２０）と天蓋（３０）とで構成し、該ベッド（２０）のヘッド側に設けられたヘッドボード（２２）と、該天蓋（３０）のヘッド側に設けられた天蓋垂壁（２９）とを、一体的にして、前記ベッド（２０）とヘッドボード（２２）と天蓋垂壁（２９）と天蓋（３０）とを、側面視略コ字状に形成し、空調装置（４９）を、室内機（６２）と送風ダクト（６３）と送風口（６６）と、送風口（６６）が開口している送風室（６７）と、該送風室（６７）と挿通され、内部に空調された気体が流入する空間である冷気溜（６５）とで構成し、前記天蓋（３０）を箱形状に構成し、前記天蓋（３０）の空間内に、該空調装置（４９）の送風口（６６）と送風室（６７）と冷気溜（６５）とを構成し、前記天蓋（３０）の冷気溜（６５）の下面には、就寝者の頭部上方に位置する空調装置（４９）の頭部吹出口（４７）と、就寝者の脚部上方に位置する前記空調装置（４９）の脚部吹出口（４８）とを設け、前記空調された気体の流入側である前記送風室（６７）に近い方の冷気溜（６５）に、該頭部吹出口（４７）を開口し、前記冷気溜（６５）の送風室（６７）から遠い方に該脚部吹出口（４８）を開口配置したものである。
【０００９】
請求項２においては、請求項１記載の前記寝室家具（１０）において、前記ベッド（２０）を構成するベッドフレーム（２１）の就寝者の脚部下方に位置する面状発熱体（５３）を設け、ベットスプリング（２３）を介して、就寝者の脚部を穏やかに加温可能とし、該ベットスプリング（２３）には、該面状発熱体（５３）の熱が伝達されやすいように、複数の通気口（２３ａ）を設けたものである。
【発明の効果】
【００１０】
本発明の効果として、以下に示すような効果を奏する。
【００１１】
請求項１に記載の如く、寝室家具（１０）を、ベッド（２０）と天蓋（３０）とで構成し、該ベッド（２０）のヘッド側に設けられたヘッドボード（２２）と、該天蓋（３０）のヘッド側に設けられた天蓋垂壁（２９）とを、一体的にして、前記ベッド（２０）とヘッドボード（２２）と天蓋垂壁（２９）と天蓋（３０）とを、側面視略コ字状に形成し、空調装置（４９）を、室内機（６２）と送風ダクト（６３）と送風口（６６）と、送風口（６６）が開口している送風室（６７）と、該送風室（６７）と挿通され、内部に空調された気体が流入する空間である冷気溜（６５）とで構成し、前記天蓋（３０）を箱形状に構成し、前記天蓋（３０）の空間内に、該空調装置（４９）の送風口（６６）と送風室（６７）と冷気溜（６５）とを構成し、前記天蓋（３０）の冷気溜（６５）の下面には、就寝者の頭部上方に位置する空調装置（４９）の頭部吹出口（４７）と、就寝者の脚部上方に位置する前記空調装置（４９）の脚部吹出口（４８）とを設け、前記空調された気体の流入側である前記送風室（６７）に近い方の冷気溜（６５）に、該頭部吹出口（４７）を開口し、前記冷気溜（６５）の送風室（６７）から遠い方に該脚部吹出口（４８）を開口配置したので、同一の寝室を利用する他の就寝者に干渉されることなく各就寝者に適した空調装置を整えることができる。
また、空調機能を備えた寝室家具は、ベッドと天蓋とで構成されるため、高級感があり、寝室に配置することが違和感なく、寝室のインテリア性を損ねることがない。
【００１２】
また、天蓋の内部空間を利用して気体が流れ込む溜場所を形成することができるのである。
また、一旦気体が溜場所に流入してから天蓋外部へ流出することで、頭部吹出口及び脚部吹出口からの送風を穏やかなものとすることができる。
【００１３】
また、特別な装置を用いることなく、頭部吹出口から出る冷気を、脚部吹出口よりも、風量が大きく、また、温度の低いものとすることができ、「頭寒足熱」の温熱生理的な快適に近い状態とすることができる。
【００１４】
請求項２においては、請求項１記載の前記寝室家具（１０）において、前記ベッド（２０）を構成するベッドフレーム（２１）の就寝者の脚部下方に位置する面状発熱体（５３）を設け、ベットスプリング（２３）を介して、就寝者の脚部を穏やかに加温可能とし、該ベットスプリング（２３）には、該面状発熱体（５３）の熱が伝達されやすいように、複数の通気口（２３ａ）を設けたので、夏季ならず冬季においても、「頭寒足熱」の温熱生理的な快適に近い状態とすることができる。
【発明を実施するための最良の形態】
【００１５】
次に、発明の実施の形態を説明する。
【００１６】
図１は本発明の実施例に係る寝室家具の全体的な構成を示した側面図、図２は寝室家具の内部構成を示す側断面図である。
【００１７】
図３は複数の寝室家具を配置した寝室の様子を示す図、図４は空調装置の構成を示す図である。図５は1.5 次環境を説明する図である。
【００１８】
図５に示す如く、同一の寝室を使用する各就寝者が快適な睡眠環境を得るためには、寝室全体の環境（２次睡眠環境４１）と、就寝者の周りの環境（1.5 次睡眠環境４０）と、寝具と就寝者とで形成される環境（１次睡眠環境３９）とに分けて、これらの環境を制御するアプローチが有効である。本発明に係る寝室家具１０では、『1.5 次睡眠環境４０』における温度環境を、各個人に適した睡眠環境とすべく調整可能とすることを可能としている。これにより、他の就寝者に干渉されること無く各個人に適した睡眠環境を形成することができ、睡眠の質を高めることに寄与することができる。
【００１９】
ここで、本発明の実施例に係る寝室家具１０の構成について説明する。図１及び図２に示す如く、寝室家具１０は、ベッド２０と天蓋３０とで構成され、ベッド２０のヘッド側に設けられたヘッドボード２２と、天蓋３０のヘッド側に設けられた天蓋垂壁２９によって、側面視略コ字状に形成されている。この、寝室家具１０を構成するベッド２０と天蓋３０とによって形成された空間が1.5 次睡眠環境４０であり、寝室家具１０や寝具等が１次睡眠環境３９であり、寝室のそれ以外の空間は個人睡眠空間を包囲する全体的な環境睡眠空間である２次睡眠環境４１である。本発明では、１次睡眠環境３９を包囲し相互に影響する1.5 次睡眠環境４０の、空調を整えるための装置として、寝室家具１０を構成している。寝室家具１０は寝室に単数組配置することも複数組配設することもできる。
【００２０】
前記ベッド２０は、床４４上に載置された略矩形箱形状のベッドフレーム２１と、該ベッドフレーム２１のヘッド側に配設されたヘッドボード２２とで構成されている。ベッドフレーム２１には、ベットスプリング２３等が載置され、寝床が形成される。
【００２１】
ベッドフレーム２１の内部には、面状発熱体５３が配設され、ベットスプリング２３を介して就寝者の脚部を穏やかに加温可能とされている。ベットスプリング２３には、面状発熱体５３の熱が伝達されやすいように、複数の通気口２３ａが設けられている。この面状発熱体５３は、主に冬季に就寝者の脚部を加温して、「頭寒足熱」の温熱生理的な快適に近い状態とするために備えられている。なお、面状発熱体５３はベッドフレーム２１に設けているが、天蓋３０の下面に設けることもできる。この場合、天蓋３０下面とベッド２０との間の空間を輻射して熱が寝ている人に穏やかに伝達されることとなる。
【００２２】
前記天蓋３０は、天井４３に固設されており、略矩形箱形状に構成され、そのヘッド側には天蓋垂壁２９が配置されている。但し、寝室の天井４３から天蓋３０を吊設して、1.5 次睡眠環境４０の高さ方向の大きさを調節することもできる。人によっては、下がり天井の方が落ち着きを得られることもあるため、所望に応じて天蓋３０の高さを調節することが好ましい。
【００２３】
天蓋３０の下面には、ベッド２０を包囲するカーテン２７を摺動可能とするレール２８が設けられている。カーテン２７によりベッド２０と天蓋３０との間が他の空間から視覚的に柔らかく区画される。さらに、カーテン２７により1.5 次睡眠環境４０の範囲が限定される。カーテン２７は、柔らかなレース素材であることが好ましく、視覚的にも音響的にも閉塞感の無いように半透明であり、且つ、1.5 次睡眠環境４０と２次睡眠環境４１とを区画するため、２次睡眠環境４１に吹き出した冷風又は温風によって1.5 次睡眠環境４０内に就寝者が感じるような0.3 〜0.4m/s程度の強い気流或いは気流速の不安定な気流が流入しないように、そして、1.5 次睡眠環境４０に吹き出した冷気によって達成した２次睡眠環境４１に対する温度差が温熱的にカーテン２７を透過する熱損失によって或いはカーテン２７の隙間から気流的に流出する熱損失によって失われないように、素材や色等が選定されている。但し、カーテン２７を厚手の遮光カーテンとして、光や温度環境の個別性をより確保し易い状況を形成することもできる。さらに、生地の素材や色柄の選択によって各1.5 次睡眠環境４０の独立性を調整することができる。
【００２４】
そして、天蓋３０の下面には、空調装置４９の吹出口が形成されている。吹出口は、天蓋３０の下面ヘッド側に頭部吹出口４７が、エンド側に脚部吹出口４８が、それぞれ形成されている。頭部吹出口４７及び脚部吹出口４８からは、夏季の頭部や脚部の冷却のために、冷風が吹き出される。頭部吹出口４７からの冷風にて就寝者の頭部を冷却して体熱を放散させるために、頭部吹出口４７は就寝者の頭部の上方に設けられており、位置に風を感じない程度の微風が送られる。また、脚部吹出口４８からの冷風にて就寝者の脚部を冷却するために、脚部吹出口４８は就寝者の脚部の上方に設けられている。頭部吹出口４７及び脚部吹出口４８のいずれからの送風も、就寝者が風を感じない程度の微風であり、就寝者の上方から穏やかな冷気が降りてくるように感じる程度とする。
【００２５】
空調装置４９は、室外機６１と、室外機６１と送風ダクト６８で接続された室内機６２と、室内機６２に送風ダクト６３を介して接続された送風口６６と、送風口６６が開口している送風室６７と、送風室６７と挿通された冷気溜６５とで構成されている。冷気溜６５には頭部吹出口４７及び脚部吹出口４８が開口している。
【００２６】
前記送風室６７及び冷気溜６５は、箱形状に形成された天蓋３０の内部空間を利用して設けられた、室内機６２にて調整された気体を溜めるための空間である。すなわち、空調装置４９の室内機６２で調整された気体は、送風口６６から天蓋３０の内部形成された送風室６７に流入し、冷気溜６５へ移動して、天蓋３０の下面に開口した頭部吹出口４７及び脚部吹出口４８より吹き出され、天蓋３０の下方の就寝者へ送られることとなる。このように、天蓋３０の内部空間を利用して調整された気体の溜まる空間を形成し、一旦気体をとどめることで、頭部吹出口４７及び脚部吹出口４８より吹き出される冷気は、流入時の勢いが和らげられ、就寝者が風を感じない程度の微風となる。
【００２７】
なお、送風ダクト６３には、バルブ６４が設けられ、バルブ６４の開度を調整することにより、頭部吹出口４７及び脚部吹出口４８より吹き出される気体の量、すなわち、風量が調節可能とされている。
【００２８】
また、冷気溜６５の、より送風室６７に近い位置に頭部吹出口４７が設けられている。これは、まず送風室６７に送られてきた気体が冷気溜６５へ移動するが、頭部吹出口４７と脚部吹出口４８とはいずれも冷気溜６５に開口しており、先に頭部吹出口４７から気体が吹き出すことによって、脚部吹出口４８より吹き出される気体Ｌ２より頭部吹出口４７から吹き出される気体Ｌ１の方が、温度が低く、且つ、風量が大きくなるようにするためである。この頭部吹出口４７と脚部吹出口４８との配置関係により、就寝者の頭部と脚部とへの送風を、特別な装置を用いることなく、「頭寒足熱」の温熱生理的な快適により近い状態とすることができる。
【００２９】
さらに、図３及び図４に示す如く、一つの寝室に複数の寝室家具１０・１０を配置する際には、全部の寝室家具１０・１０に対して、一つの室外機６１及び室内機６２を設けるが、各寝室家具１０において頭部吹出口４７及び脚部吹出口４８からの風量を個々に調節可能としている。これにより、各寝室家具１０で就寝者に適した風量で冷気を就寝者に送ることができ、各就寝者に異なる良好な睡眠環境を形成することができる。
【００３０】
室内機６２と、各寝室家具１０の天蓋３０内に設けられた送風室６７への送風口６６とを繋ぐ送風ダクト６３はそれぞれに設けられ、各送風ダクト６３（６３Ａ・６３Ｂ）にバルブ６４（６４Ａ・６４Ｂ）が備えられている。室内機６２の制御部６２ａでは、各バルブ６４（６４Ａ・６４Ｂ）の開度と、室内機６２で調整される気体の温度とが制御される。また、室内機６２では、寝室家具１０近傍に配置されたキャビネット等の寝室家具６０に設けられた操作パネル５９や、遠隔操作装置６９にて入力された信号を、通信部６２ｂにて受信可能としている。そして、室内機６２の制御部６２ａでは、通信部６２ｂにて受信した信号に基づいて、各バルブ６４（６４Ａ・６４Ｂ）の開度と、室内機６２で調整される気体の温度とが制御される。各バルブ６４（６４Ａ・６４Ｂ）の開度は個々に調整可能であり、従って、個々の寝室家具１０は独立して、頭部吹出口４７及び脚部吹出口４８からの風量が調節可能である。なお、室外機６１や室内機６２は、寝室全体のための空調装置と兼用させることもできる。
【図面の簡単な説明】
【００３１】
【図１】本発明の実施例に係る寝室家具の全体的な構成を示した側面図。
【図２】寝室家具の内部構成を示す側断面図。
【図３】複数の寝室家具を配置した寝室の様子を示す図。
【図４】空調装置の構成を示す図。
【図５】1.5 次環境を説明する図。
【符号の説明】
【００３２】
１０  寝室家具
２０  ベッド
２７  カーテン
３０  天蓋
４７  頭部吹出口
４８  脚部吹出口
４９  空調装置
６４  バルブ
６５  冷気溜
６６  送風口
６７  送風室
【図１】
0004613494.tif 000002
【図２】
0004613494.tif 000003
【図３】
0004613494.tif 000004
【図４】
0004613494.tif 000005
【図５】
0004613494.tif 000006